(57)【特許請求の範囲】
【請求項１】
ファックスモデムを含み、外部から提供された画データを該ファックスモデムを介して電話回線上に送信制御するコンピュータ端末と、
前記端末との接続用インターフェイス、ファクシミリ通信のための情報を入力する操作部及び被読取原稿から画像を読み取る読取部を備えた読取装置と
から構成され、前記ファクシミリ通信のための情報は、原稿サイズ、解像度、及び線密度を含む画データ属性情報と送り先電話番号とを含むものであり、前記コンピュータ端末は、前記読取装置から送信される画データ属性情報をファクシミリ通信制御プログラムによって管理すると共に、前記画データ属性情報の変更をコンピュータ端末のキーボード入力によって行うコンピュータ端末利用のファックスシステム。
【請求項２】
前記読取装置は、前記操作部の操作によって前記画データ属性情報の設定変更を可能にし、前記コンピュータ端末へ送り先電話番号、画データ及び画データ属性情報を送信する請求項１に記載のコンピュータ端末利用のファックスシステム。
【請求項３】
前記読取装置とコンピュータ端末との接続にクラス１プロトコルを採用し、前記コンピュータ端末は、前記読取装置から送信される画データを蓄積することなく、ファックスモデムを通じて直接的に送信する請求項１又は２に記載のコンピュータ端末利用のファックスシステム。
【請求項４】
前記コンピュータ端末は、外部から送信された画データを前記ファックスモデムを介して電話回線上に送信制御する際に、送信側であるコンピュータ端末の電話番号や送信者の氏名又は名称に関する発呼情報を併せて送信する請求項１〜３のいずれか１項に記載のコンピュータ端末利用のファックスシステム。
【請求項５】
前読取装置は、コンピュータ端末へ画データと共に前記発呼情報を送信するものである請求項４に記載のコンピュータ端末利用のファックスシステム。
【発明の詳細な説明】
【０００１】
【発明の属する技術分野】
本発明は、コンピュータ端末利用のファックスシステムに関するものである。
【０００２】
【従来の技術】
原稿上の文字や図形を画像化し、この画データを電話回線を利用して送受信するファクシミリ装置が一般に普及している。その一方で、コンピュータ通信ネットワークの普及に伴い、電話回線を利用した通信網への接続を想定して、ファックス用のモデムを標準装備したパーソナルコンピュータ（以下「パソコン」という）が出回るようになった。そして、ファックスモデム内蔵のパソコン用に、ファックスモデムを駆動するためのソフトウェア（以下「ＦＡＸソフト」という）も市販されるにいたり、パソコンをファクシミリ装置として機能させることが可能となっている。
【０００３】
【発明が解決しようとする課題】
市販のＦＡＸソフトには一般に、パソコン上でワープロソフトを用いて作成した文書のデータをデータ変換して画データを生成する機能が備わっており、このようにパソコンの内部処理によって自動生成した画データをファックスモデムから電話回線を介して相手側ファクシミリ装置に送信することができる。この場合、相手側ファクシミリ装置の電話番号の入力は、パソコンのキーボードをたたいて行うことになる。
【０００４】
しかしながら、文書データ化されていない紙面上の手書き文書や図形については、パソコンに外付けされた専用スキャナを用いて画データとして一旦取り込み、その後に、ＦＡＸソフトを起動させて前記画データをファックスモデムから送信するという手順を取らざるを得ない。このような迂遠な手順は、ユーザーの操作負担を増大させ、パソコンファックスの使い勝手を損なうものである。また、ＦＡＸソフトの操作にも熟練が必要とされ操作方法を習得するのも一苦労といった状況にある。故に、パソコン上で実現される従来のファックス機能は、単体のファクシミリ装置に比較して操作性の面で難点があった。
【０００５】
本発明はかかる事情に鑑みてなされたものであり、その目的は、発呼時の操作性を改善した、よりユーザーフレンドリーなコンピュータ端末利用のファックスシステムを提供することにある。
【０００６】
【課題を解決するための手段】
請求項１の発明は、ファックスモデムを含み、外部から提供された画データを該ファックスモデムを介して電話回線上に送信制御するコンピュータ端末と、前記端末との接続用インターフェイス、ファクシミリ通信のための情報を入力する操作部及び被読取原稿から画像を読み取る読取部を備えた読取装置とから構成され、前記ファクシミリ通信のための情報は、原稿サイズ、解像度、及び線密度を含む画データ属性情報と送り先電話番号とを含むものであり、前記コンピュータ端末は、前記読取装置から送信される画データ属性情報をファクシミリ通信制御プログラムによって管理すると共に、前記画データ属性情報の変更をコンピュータ端末のキーボード入力によって行うコンピュータ端末利用のファックスシステムである。
【０００８】
請求項１の発明によれば、読取装置の読取部により被読取原稿から画像が読み取られて画データが生成される。また、読取装置上の操作部からファクシミリ通信のための情報（例えば、送り先電話番号）が入力される。これらの画データ及び情報は接続用インターフェイスを介して読取装置からコンピュータ端末に送られる。コンピュータ端末は、提供された情報に基づき、提供された画データをファックスモデムを介して電話回線上に送信制御する。
【０００９】
請求項２の発明は、請求項１に記載のコンピュータ端末利用のファックスシステムにおいて、前記読取装置は、前記操作部の操作によって前記画データ属性情報の設定変更を可能にし、前記コンピュータ端末へ送り先電話番号、画データ及び画データ属性情報を送信することを特徴とする。
請求項３の発明は、請求項１又は２に記載のコンピュータ端末利用のファックスシステムにおいて、前記読取装置とコンピュータ端末との接続にクラス１プロトコルを採用し、前記コンピュータ端末は、前記読取装置から送信される画データを蓄積することなく、ファックスモデムを通じて直接的に送信することを特徴とする。
請求項４の発明は、請求項１〜３のいずれか１項に記載のコンピュータ端末利用のファックスシステムにおいて、前記コンピュータ端末は、外部から送信された画データを前記ファックスモデムを介して電話回線上に送信制御する際に、送信側であるコンピュータ端末の電話番号や送信者の氏名又は名称に関する発呼情報を併せて送信することを特徴とする。
請求項５の発明は、請求項４に記載のコンピュータ端末利用のファックスシステムにおいて、前読取装置は、コンピュータ端末へ画データと共に前記発呼情報を送信するものであることを特徴とする。
【００１１】
【発明の実施の形態】
以下に、本発明の一実施形態を図面を参照しつつ説明する。
図１に示すように、コンピュータ端末利用のファックスシステムは、コンピュータ端末１０と読取装置３０とから構成される。ここで、コンピュータ端末１０とは、コンピュータ本体１０ａとその周辺機器（例えば、２２，２４，２５，２６）を含む体系をいう。
【００１２】
コンピュータ端末１０の本体１０ａは、中央処理装置（ＣＰＵ）１１、リードオンリーメモリ（ＲＯＭ）１２、ランダムアクセスメモリ（ＲＡＭ）１３、ネットワークコントロールユニット（ＮＣＵ）１４、ファックスモデム１５、ディスクドライブインターフェイス１６、プリンタインターフェイス１７、ディスプレイインターフェイス１８、入力インターフェイス１９及びスキャナーインターフェイス２０を備えており、これらはバス２１を介して接続されている。
【００１３】
ＲＯＭ１２は、コンピュータ端末を制御するための各種制御プログラムを記憶する。ＣＰＵ１１は、これら制御プログラムに従い、コンピュータ本体１０ａの各部及び周辺機器を制御する。ＲＡＭ１３は、制御プログラムの実行時に一時的に生ずるデータや各種のアプリケーションプログラムを記憶する。
【００１４】
ファックスモデム１５は、送受信データの変調及び復調を行うものである。ＮＣＵ１４は、電話回線Ｌ１の閉結及び開放を行うと共に、相手先の電話番号に対応したダイヤルパルスの送出及び着信を検出する機能等を備えている。
【００１５】
ディスクドライブインターフェイス１６は、外部記憶装置としてディスクドライブ装置２２をコンピュータ本体１０ａに接続するためのインターフェイスアダプタである。図１では単にディスクドライブ装置２２として示したが、これは、ハードディスク駆動装置、フロッピーディスク駆動装置及びＣＤ−ＲＯＭ駆動装置のいずれをも含む概念である。ディスクドライブ装置２２は、コンピュータ読み取り可能な記録媒体２３からのデータの読み取り及び該記録媒体２３に対するデータの書き込みを行う。コンピュータ読み取り可能な記録媒体２３としては、例えばフロッピーディスクやＣＤ−ＲＯＭがあげられる。ＲＡＭ１３上に記憶される各種のアプリケーションプログラムは、主としてディスクドライブ装置２２を介して記録媒体２３から提供される。また、コンピュータ端末１０にインストールされるべきファクシミリ通信制御プログラムも、このような記録媒体２３から提供される。尚、コンピュータ端末１０へのインストール後、ファクシミリ通信制御プログラムは、ＲＡＭ１３又はディスクドライブ装置２２のハードディスクに常駐することになる。
【００１６】
プリンタインターフェイス１７は、記録装置としてのプリンタ２４をコンピュータ本体１０ａに接続するためのインターフェイスアダプタである。ディスプレイインターフェイス１８は、表示装置としてのディスプレイ２５をコンピュータ本体１０ａに接続するためのインターフェイスアダプタである。ディスプレイ２５としては、ＣＲＴや液晶ディスプレイ（ＬＣＤ）があげられる。入力インターフェイス１９は、入力装置２６をコンピュータ本体１０ａに接続するためのインターフェイスアダプタである。図１では単に入力装置２６として示したが、これは、キーボード及びマウスのいずれをも含む概念である。
【００１７】
スキャナーインターフェイス２０は、読取装置３０をコンピュータ本体１０ａに接続するための端末１０側のインターフェイスアダプタである。
他方、読取装置３０は、ＣＰＵ３１、ＲＯＭ３２、ＲＡＭ３３、画像メモリ３４、読取部３５、表示部３６、操作部３７及び接続用インターフェイス３８を備えており、これらはバス３９を介して接続されている。
【００１８】
ＲＯＭ３２は、読取装置３０を制御するための読取装置制御プログラムや、画データ属性情報の標準値に関するデータ等を記憶する。尚、画データ属性情報としては、被読取原稿の原稿サイズ、解像度、線密度等があげられる。ＣＰＵ３１は、読取装置制御プログラムに従い読取装置３０の各部を制御する。ＲＡＭ３３は、読取装置制御プログラムの実行時に生ずるデータや操作部３７から入力されたデータ等を一時的に記憶する。
【００１９】
読取部３５は、被読取原稿上の画像を読み取って白黒二値のイメージデータを生成し画データとして出力する。画像メモリ３４は、読取部３５からの画データを一時的に記憶する。
【００２０】
表示部３６及び操作部３７は、読取装置３０に設けられたパネル４１（図３参照）上に集約されている。表示部３６は、液晶ディスプレイ（ＬＣＤ）等よりなり、読取装置３０の動作状態や送り先電話番号等の表示を行う。操作部３７は、テンキー３７ａ、スタートキー３７ｂ及びストップクリアキー３７ｃを備えている。テンキー３７ａは、相手方ファクシミリ装置の電話番号を入力したり、画データ属性情報を設定変更したりするためのものである。スタートキー３７ｂは、読取部３５に読み取り動作を開始させるためのものである。ストップクリアキー３７ｃは、読取部３５による読み取り動作を中止させ、あるいはテンキー３７ａによる入力をキャンセルするためのものである。
【００２１】
接続用インターフェイス３８は、読取装置３０をコンピュータ本体１０ａに接続するための読取装置３０側のインターフェイスアダプタである。前記スキャナーインターフェイス２０、接続用インターフェイス３８及びそれらを連結するデータ線４０からなるインターフェイスの体系は、パラレル方式、シリアル方式あるいはＵＳＢ方式のいずれであってもよいが、シリアル方式とする場合には、ＲＳ２３２Ｃ規格を採用することが適切である。
【００２２】
尚、ＣＰＵ３１、ＲＯＭ３２、ＲＡＭ３３及び画像メモリ３４は、接続用インターフェイス３８を介して各種データをコンピュータ端末１０に送信するデータ送信制御手段を構成する。
【００２３】
次に、読取部３５の機械的構成を図２を参照しつつ簡単に説明する。この読取部３５の機械的構成は、従来からあるファクシミリ装置の光学読み取り機構とほぼ同じである。
【００２４】
読取部３５は、ケーシング５１と、そこに内蔵された光学読取系ＯＰと、ケーシング５１の中後部上方に配設された押さえ蓋５２と、その押さえ蓋５２に隣接しつつ前記ケーシング５１の前部上方に配設された原稿給送部５３とを備えている。押さえ蓋５２との境界に位置するケーシング５１上面の大開口部には、手書き原稿、印刷物、書籍その他の被読取原稿（図示略）を載置するための透明なカバーガラス５４が取り付けられている。また、原稿給送部５３との境界に位置するケーシング５１上面の小開口部には、透明なガラスからなる書類読み取り用の透光板５５が取り付けられている。押さえ蓋５２は、図示しないヒンジ機構によりケーシング５１の上面端部に開閉回動可能に取り付けられている。
【００２５】
押さえ蓋５２は、当該蓋の本体たる基板５６と、給紙トレイ５７と、前記基板５６の上面側に形成された排出トレイ５８とを備えている。給紙トレイ５７は、原稿給送部５３を用いた自動原稿給送・読取に供されるカット紙状の被読取原稿を保持するためのものであり、排出トレイ５８は、自動原稿給送・読取後に原稿給送部５３から排出された被読取原稿を受けるためのものである。
【００２６】
光学読取系ＯＰは、ステップモータ５９、ミラーキャリッジとしての第１及び第２移動フレーム６０，６１、ランプ６２、第１〜第３ミラー６３，６４，６５、集光レンズ６６並びに撮像素子６７等により構成される周知のものである。ランプ６２は、カバーガラス５４上に載置された被読取原稿に対して、透明なカバーガラス５４を通して光を照射し、その反射光がミラー６３，６４，６５、集光レンズ６６を介して撮像素子６７上に集光され、これにより、被読取原稿上の画像が読み取られる。被読取原稿を載置するためのカバーガラス５４は、この光学読取系ＯＰと共にフラットベッドスキャナ（ＦＢＳ）を構成する。
【００２７】
原稿給送部５３は、オートドキュメントフィーダ（ＡＤＦ）の主要部を構成する。原稿給送部５３は、給紙トレイ５７上の最上部の被読取原稿を取り込むための給送ローラ６８及び分離ローラ６９を備え、両ローラ６８，６９は図示しないギア機構を介して前記ステップモータ５９に接続され、同モータ５９によって駆動される。給送ローラ６８及び分離ローラ６９の下流側には搬送ローラ７０が設けられ、この搬送ローラ７０も図示しないギア機構を介して前記ステップモータ５９に接続されている。自動読取モード（ＡＤＦモード）において、給送ローラ６８及び分離ローラ６９によって原稿給送部５３内に取り込まれた被読取原稿は、透光板５５の上面を通過する。この透光板５５を通して、被読取原稿の画像が光学読取系ＯＰによって読み取られる。透光板５５上を通過した被読取原稿は、一対の排出ローラ７１によって排出トレイ５８上に排出される。
【００２８】
このように光学読取系ＯＰは、カバーガラス５４又は透光板５５を介して提供される原稿の画像（文字や図形）を読み取る。この画像は所定の処理を経て白黒二値のイメージデータ化され、画データとして画像メモリ３４に記憶される。
【００２９】
（ファックスシステムの作用等）
次に、図１〜図３に示すファックスシステムの作用及び使用方法を、図４のタイムシーケンスに従って説明する。
【００３０】
このファックスシステムの利用時には、コンピュータ端末１０を予め立ち上げファクシミリ通信制御プログラム（ＦＡＸソフト）を起動させておく。すると、コンピュータ端末１０は、読取装置３０からのデータ待ち状態で待機する。
【００３１】
読取装置３０の作動に先だって、ユーザー（使用者）はテンキー３７ａを操作して送り先電話番号を入力する。入力された電話番号のデータはＲＡＭ３３に一時記憶される。そして、読取装置３０をＦＢＳとして使用する場合、カバーガラス５４上に被読取原稿を載置しスタートキー３７ｂを押すと、被読取原稿から画像が読み取れら、画データが画像メモリ３４に蓄積される。また、読取装置３０をＡＤＦモードで使用する場合には、給紙トレイ５７上に必要枚数の被読取原稿を載せてスタートキー３７ｂを押すと、各被読取原稿から画像が連続的に読み取れら、画データが画像メモリ３４に蓄積される。
【００３２】
画像メモリ３４への画データの蓄積が完了すると、ＣＰＵ３１は、ＲＡＭ３３の送り先電話番号データと、画像メモリ３４の画データと、ＲＯＭ３２の画データ属性情報（原稿サイズ、解像度、線密度等）の標準値データとを、所定の順序で接続用インターフェイス３８を介してコンピュータ端末１０へ送信する。尚、通常、ＣＰＵ３１は、ＲＯＭ３２に収められた標準値データを画データ属性情報として送信するが、ユーザーがスタートキー３７ｂを押す前に、テンキー３７ａの操作で画データ属性情報のいずれかを設定変更した場合には、標準値データに代えてその設定変更したデータを画データ属性情報として送信する。
【００３３】
読取装置３０からデータを提供されたコンピュータ端末１０のＣＰＵ１１は、ファクシミリ通信制御プログラムに従い、スキャナーインターフェイス２０を介して受信した送り先電話番号データと画データ及びその属性情報を、ＲＡＭ１３又は外部記憶装置２２に一旦記憶する。そして、読取装置３０からのデータ受信がすべて終了した後に、ファックス送信動作を開始する。即ち、送り先電話番号データに基づいて相手側ファクシミリ装置を発呼すべくＮＣＵ１４を作動させると共に、画データ及びその属性情報をファックスモデム１５で変調しＮＣＵ１４を介して電話回線Ｌ１に送り出す。
【００３４】
画データ等を電話回線Ｌ１に送出する場合に、送信側の発呼情報を併せて送信するようにしてもよい。発呼情報とは、送信側であるコンピュータ端末１０の電話番号や送信者の氏名又は名称に関する情報をいう。このような発呼情報をファクシミリ送信データに付加する機能を、ファクシミリ通信制御プログラムに持たせておくことは好ましい。そのようにすれば、コンピュータ端末１０側の入力装置２６（例えばキーボード）を用いて発呼情報の内容を適宜修正、変更することが容易となる。もちろん、発呼情報については、画データ属性情報と同じ様に、読取装置３０のＲＯＭ３２又はＲＡＭ３３に記憶しておき、その都度、読取装置３０からコンピュータ端末１０側に画データ等と共に提供するようにすることもできる。
【００３５】
相手側ファクシミリ装置から電話回線Ｌ１を介して画データ等を受信した場合には、コンピュータ端末１０のＣＰＵ１１は、ファクシミリ通信制御プログラムに従い、受信したデータをＲＡＭ１３又は外部記憶装置２２に一旦記憶し、その後、記録装置としてのプリンタ２４によって画データを記録紙上に記録する。
【００３６】
本実施形態の効果は次の通りである。
・読取装置３０に設けた操作部３７での操作によって、送り先電話番号の入力等ができるため、あたかも単体のファクシミリ装置を操作するが如き感覚で、コンピュータ端末利用のファックスシステムを利用することができ、従来型のパソコンファックスに比較して発呼時の操作性が大幅に改善される。
【００３７】
・コンピュータ端末１０にインストールされているファックス通信制御プログラムは、読取装置３０から端末１０に提供される画データ等に基づいて自動的にファックスモデム１５を介しての送信制御を行うので、ユーザーはとにかくコンピュータ端末１０でファックス通信制御プログラムを起動させておけば足り、キーボード等の入力装置２６を操作する必要から解放される。
【００３８】
尚、発明の実施の形態は上記に限定されるものではなく、次のように変更されてもよい。
・図１のコンピュータ端末１０ではＮＣＵ１４及びファックスモデム１５をコンピュータ本体１０ａに内蔵させたが、これら１４，１５を周辺機器の一種と位置づけ、本体１０ａの外に設けてもよい。
【００３９】
・画データ属性情報に関しては、コンピュータ端末１０側のファクシミリ通信制御プログラムで管理すると共に、画データ属性情報の設定変更は、コンピュータ端末１０のキーボード入力によって行うこと。即ち、読取装置３０からコンピュータ端末１０に提供するデータは、画データと送り先電話番号のデータのみとしてもよい。
【００４０】
・図２に示す読取装置３０のカバーガラス５４の下側に原稿サイズ検出用の光学センサを複数配設し、画データ属性情報のうちの原稿サイズに関しては、ＦＢＳモードにある限り、光学センサ群からの検出情報に応じてＣＰＵ３１が自動的に設定変更可能としてもよい。
【００４１】
・図１の読取装置３０にページプリンタ的な機能を有する画像記録部を付加して、装置３０を読取／記録兼用機として再構成してもよい。これにより、プリンタ２４をコンピュータ本体１０ａに接続する必要がなくなり、コンピュータ端末１０におけるインターフェイス（Ｉ／Ｆ）の数を減らすことができる。
【００４２】
・読取装置３０とコンピュータ端末１０との接続にクラス１プロトコルを採用し、読取装置３０で読み取った画像（画データ）を一旦コンピュータ端末１０のＲＡＭ１３又は外部記憶装置２２内に蓄積することなく、読取装置３０からコンピュータ端末１０のＦＡＸモデム１５を通じて直接的に送信するようにしてもよい。
【００４３】
尚、前記開示事項から把握される発明は、第一義的には特許請求の範囲に記載したような「コンピュータ端末利用のファックスシステム」であるが、別の観点からは次のような「記録媒体」の発明を把握することもできる。即ち、
（１）「読取装置から少なくとも画データ及び送り先電話番号の提供を受けると共にファックスモデムを備えたコンピュータ端末にインストールされるファクシミリ通信制御プログラムを収めたコンピュータ読み取り可能な記録媒体であって、前記ファクシミリ通信制御プログラムは、前記読取装置から提供される画データを、前記読取装置から提供される送り先電話番号に基づいて、前記ファックスモデムを介して電話回線上に送出することを該コンピュータ端末に実行させることを特徴とする記録媒体。」  この記録媒体によれば、前記ファクシミリ通信制御プログラムをインストールしたコンピュータ端末は、それと接続された読取装置との協働が可能となる。
【００４４】
（２）「読取装置から少なくとも画データ及び送り先電話番号の提供を受けると共にファックスモデムを備えたコンピュータ端末にインストールされるファクシミリ通信制御プログラムを収めたコンピュータ読み取り可能な記録媒体であって、前記ファクシミリ通信制御プログラムは、前記読取装置から提供される画データ及び送り先電話番号を、該コンピュータ端末のメモリ又は外部記憶装置に一旦格納し、その後、前記送り先電話番号に基づいて前記画データを前記ファックスモデムを介して電話回線上に送出することを該コンピュータ端末に実行させることを特徴とする記録媒体。」  この記録媒体の発明によれば、前記ファクシミリ通信制御プログラムは、読取装置からの画データ等をメモリ又は外部記憶装置に一旦格納した後にその画データの送信制御をコンピュータ端末に実行させるため、コンピュータ端末側の送信制御の渋滞等の事情によって、読取装置が原稿の読み取りやコンピュータ端末へのデータ送信を中断させられるということが回避される。従って、読取装置の使用効率（稼動率）を高めることができるという効果がある。
【００４５】
【発明の効果】
以上詳述したように、各請求項に記載の発明によれば、コンピュータ端末利用のファックスシステムのユーザー（使用者）は、読取装置の操作部を操作して送り先電話番号等の情報を入力することができるので、単体のファクシミリ装置を操作するのと全く同じ感覚でコンピュータ端末利用のファックスシステムを利用することができる。従って、従来型のパソコンファックスに比較して、発呼時の操作性が大幅に改善され、よりユーザーフレンドリーなシステムとなる。
【図面の簡単な説明】
【図１】一実施形態に従うコンピュータ端末利用のファックスシステムの電気的構成の概略を示すブロック図。
【図２】読取装置の機械的構成を示す概略断面図。
【図３】読取装置上の操作パネルを示す平面図。
【図４】ファックス送信時のタイムシーケンスを示すチャート。
【符号の説明】
１０…コンピュータ端末、１３…メモリとしてのＲＡＭ、１５…ファックスモデム、２２…外部記憶装置としてのディスクドライブ装置、２３…記録媒体、
３０…読取装置、３１…ＣＰＵ、３２…ＲＯＭ、３３…ＲＡＭ、３４…画像メモリ３４（３１〜３４はデータ送信制御手段を構成する）、３５…読取部、３６…表示部、３７…操作部、３８…接続用インターフェイス、Ｌ１…電話回線。
【図１】
0003622044.tif 000002
【図２】
0003622044.tif 000003
【図３】
0003622044.tif 000004
【図４】
0003622044.tif 000005